(57)【要約】【課題】前眼部撮影の際に、被検眼の照明状態を変化させることなく適正なピント調節を行えるようにして、適切な前眼部撮影を実現する仕組みを提供する。【解決手段】被検眼Ｅの前眼部を光で照明する前眼部照明光源６１５と、被検眼Ｅに対して合焦させるためのフォーカスレンズ６１２と、被検眼Ｅからの前記光の反射光をフォーカスレンズ６１２を介して受光し、被検眼Ｅを撮像する撮像素子６１３と、前眼部照明光源６１５、フォーカスレンズ６１２および撮像素子６１３を備える筐体である検眼部６を被検眼Ｅに対して駆動させる可動部３と、被検眼Ｅの前眼部を撮影する前眼部撮影におけるピント調節の際に、可動部３による駆動を行わずに検眼部６を固定した状態で、フォーカスレンズ６１２の位置を光軸に沿って調整する制御を行う制御手段を備える。【選択図】図１
2017055976.tif 000002
【特許請求の範囲】
【請求項１】
被検眼の前眼部を光で照明する前眼部照明手段と、
前記被検眼に対して合焦させるための合焦手段と、
前記被検眼からの前記光の反射光を前記合焦手段を介して受光し、前記被検眼を撮像する撮像手段と、
前記前眼部照明手段、前記合焦手段および前記撮像手段を備える筐体を前記被検眼に対して駆動させる駆動手段と、
前記駆動手段による駆動を指示するための操作手段と、
前記前眼部を撮影する前眼部撮影におけるピント調節の際に、前記操作手段の指示に応じた前記駆動手段による前記筐体の駆動を行わずに、前記合焦手段の位置を光軸に沿って調整する制御を行う制御手段と、
を有することを特徴とする眼科装置。
【請求項２】
前記被検眼の撮影部位を指定する指定手段を更に有し、
前記制御手段は、前記ピント調節の前に、前記指定手段で指定された撮影部位に応じた位置に前記筐体を駆動させて前記筐体を当該位置に固定し、その後の前記ピント調節の際に、前記合焦手段の位置を光軸に沿って調整する制御を行うことを特徴とする請求項１に記載の眼科装置。
【請求項３】
前記被検眼の前記前眼部における前記撮影部位として、瞼および虹彩が含まれており、
前記制御手段は、前記指定手段で指定された撮影部位が瞼である場合、前記ピント調節の前に、前記指定手段で撮影部位として虹彩が指定された場合の位置よりも前記被検眼から遠い位置に前記筐体を駆動させて前記筐体を当該位置に固定し、その後の前記ピント調節の際に、前記合焦手段の位置を光軸に沿って調整する制御を行うことを特徴とする請求項２に記載の眼科装置。
【請求項４】
前記被検眼の前記前眼部における前記撮影部位として、瞼および虹彩が含まれており、
前記制御手段は、前記指定手段で指定された撮影部位が虹彩である場合、前記ピント調節の前に、前記指定手段で撮影部位として瞼が指定された場合の位置よりも前記被検眼から近い位置に前記筐体を駆動させて前記筐体を当該位置に固定し、その後の前記ピント調節の際に、前記合焦手段の位置を光軸に沿って調整する制御を行うことを特徴とする請求項２に記載の眼科装置。
【請求項５】
前記制御手段は、前記指定手段で指定された撮影部位が眼底である場合、ピント調節の前に、予め定められている前記眼底に応じた位置に前記筐体を駆動させて前記筐体を当該位置に固定し、その後のピント調節の際に、前記合焦手段の位置を光軸に沿って調整する制御を行うことを特徴とする請求項２に記載の眼科装置。
【請求項６】
前記制御手段は、前記ピント調節の際に、前記操作手段の指示に応じた前記駆動手段による前記筐体の駆動を行わずに、前記操作手段の操作量に応じて前記合焦手段の位置を光軸に沿って調整する制御を行うことを特徴とする請求項１乃至５のいずれか１項に記載の眼科装置。
【請求項７】
被検眼の前眼部を光で照明する前眼部照明手段と、
前記被検眼に対して合焦させるための合焦手段と、
前記被検眼からの前記光の反射光を前記合焦手段を介して受光し、前記被検眼を撮像する撮像手段と、
前記前眼部照明手段、前記合焦手段および前記撮像手段を備える筐体を前記被検眼に対して駆動させる駆動手段と、
前記前眼部を撮影する前眼部撮影におけるピント調節の際に、前記駆動手段による駆動を行わずに前記筐体を固定した状態で、前記合焦手段の位置を光軸に沿って調整する制御を行う制御手段と、
を有することを特徴とする眼科装置。
【請求項８】
前記筐体は、前記被検眼の眼底を光で照明する眼底照明手段を更に備えることを特徴とする請求項１乃至７のいずれか１項に記載の眼科装置。
【請求項９】
被検眼の前眼部を光で照明する前眼部照明手段と、前記被検眼に対して合焦させるための合焦手段と、前記被検眼からの前記光の反射光を前記合焦手段を介して受光し、前記被検眼を撮像する撮像手段と、前記前眼部照明手段、前記合焦手段および前記撮像手段を備える筐体を前記被検眼に対して駆動させる駆動手段と、前記駆動手段による駆動を指示するための操作手段とを備える眼科装置の制御方法であって、
前記前眼部を撮影する前眼部撮影におけるピント調節の際に、前記操作手段の指示に応じた前記駆動手段による前記筐体の駆動を行わずに、前記合焦手段の位置を光軸に沿って調整する制御を行う制御ステップを有することを特徴とする眼科装置の制御方法。
【請求項１０】
前記眼科装置は、前記被検眼の撮影部位を指定する指定手段を更に備え、
前記制御ステップは、前記ピント調節の前に、前記指定手段で指定された撮影部位に応じた位置に前記筐体を駆動させて前記筐体を当該位置に固定し、その後の前記ピント調節の際に、前記合焦手段の位置を光軸に沿って調整する制御を行うことを特徴とする請求項９に記載の眼科装置の制御方法。
【請求項１１】
前記被検眼の前記前眼部における前記撮影部位として、瞼および虹彩が含まれており、
前記制御ステップは、前記指定手段で指定された撮影部位が瞼である場合、前記ピント調節の前に、前記指定手段で撮影部位として虹彩が指定された場合の位置よりも前記被検眼から遠い位置に前記筐体を駆動させて前記筐体を当該位置に固定し、その後の前記ピント調節の際に、前記合焦手段の位置を光軸に沿って調整する制御を行うことを特徴とする請求項１０に記載の眼科装置の制御方法。
【請求項１２】
前記被検眼の前記前眼部における前記撮影部位として、瞼および虹彩が含まれており、
前記制御ステップは、前記指定手段で指定された撮影部位が虹彩である場合、前記ピント調節の前に、前記指定手段で撮影部位として瞼が指定された場合の位置よりも前記被検眼から近い位置に前記筐体を駆動させて前記筐体を当該位置に固定し、その後の前記ピント調節の際に、前記合焦手段の位置を光軸に沿って調整する制御を行うことを特徴とする請求項１０に記載の眼科装置の制御方法。
【請求項１３】
前記制御ステップは、前記指定手段で指定された撮影部位が眼底である場合、ピント調節の前に、予め定められている前記眼底に応じた位置に前記筐体を駆動させて前記筐体を当該位置に固定し、その後のピント調節の際に、前記合焦手段の位置を光軸に沿って調整する制御を行うことを特徴とする請求項１０に記載の眼科装置の制御方法。
【請求項１４】
前記制御ステップは、前記ピント調節の際に、前記操作手段の指示に応じた前記駆動手段による前記筐体の駆動を行わずに、前記操作手段の操作量に応じて前記合焦手段の位置を光軸に沿って調整する制御を行うことを特徴とする請求項９乃至１３のいずれか１項に記載の眼科装置の制御方法。
【請求項１５】
被検眼の前眼部を光で照明する前眼部照明手段と、前記被検眼に対して合焦させるための合焦手段と、前記被検眼からの前記光の反射光を前記合焦手段を介して受光し、前記被検眼を撮像する撮像手段と、前記前眼部照明手段、前記合焦手段および前記撮像手段を備える筐体を前記被検眼に対して駆動させる駆動手段とを備える眼科装置の制御方法であって、
前記前眼部を撮影する前眼部撮影におけるピント調節の際に、前記駆動手段による駆動を行わずに前記筐体を固定した状態で、前記合焦手段の位置を光軸に沿って調整する制御を行う制御ステップを有することを特徴とする眼科装置の制御方法。
【請求項１６】
前記筐体は、前記被検眼の眼底を光で照明する眼底照明手段を更に備えることを特徴とする請求項９乃至１５のいずれか１項に記載の眼科装置の制御方法。
【請求項１７】
請求項９乃至１６のいずれか１項に記載の眼科装置の制御方法をコンピュータに実行させるためのプログラム。
【発明の詳細な説明】
【技術分野】
【０００１】
本発明は、被検眼の撮影を行う眼科装置及びその制御方法、並びに、当該制御方法をコンピュータに実行させるためのプログラムに関するものである。
【背景技術】
【０００２】
従来の眼科装置には、被検眼の前眼部の撮影を行える装置が開発されている。このような眼科装置に関する技術として、特許文献１には、眼底撮影モードから前眼部撮影モードへの切換え時に自動で補助レンズを光軸に挿入し、フォーカスレンズを所定位置に移動させる前眼部撮影の補助機能が開示されている。
【先行技術文献】
【特許文献】
【０００３】
【特許文献１】特開２０１２−５０５９２号公報
【発明の概要】
【発明が解決しようとする課題】
【０００４】
ここで、従来の眼科装置では、前眼部撮影時のピント調節（焦点調節）は、被検眼に対して撮影部全体を動かして行うことが一般的であった。このとき、ピントの状態とともに被検眼への照明の状態も変わってしまうため、適正なピント調節が困難であった。
【０００５】
本発明は、このような問題点に鑑みてなされたものであり、前眼部撮影の際に、被検眼の照明状態を変化させることなく適正なピント調節を行えるようにして、適切な前眼部撮影を実現する仕組みを提供することを目的とする。
【課題を解決するための手段】
【０００６】
本発明の眼科装置は、被検眼の前眼部を光で照明する前眼部照明手段と、前記被検眼に対して合焦させるための合焦手段と、前記被検眼からの前記光の反射光を前記合焦手段を介して受光し、前記被検眼を撮像する撮像手段と、前記前眼部照明手段、前記合焦手段および前記撮像手段を備える筐体を前記被検眼に対して駆動させる駆動手段と、前記駆動手段による駆動を指示するための操作手段と、前記前眼部を撮影する前眼部撮影におけるピント調節の際に、前記操作手段の指示に応じた前記駆動手段による前記筐体の駆動を行わずに、前記合焦手段の位置を光軸に沿って調整する制御を行う制御手段と、を有する。
本発明の眼科装置における他の態様は、被検眼の前眼部を光で照明する前眼部照明手段と、前記被検眼に対して合焦させるための合焦手段と、前記被検眼からの前記光の反射光を前記合焦手段を介して受光し、前記被検眼を撮像する撮像手段と、前記前眼部照明手段、前記合焦手段および前記撮像手段を備える筐体を前記被検眼に対して駆動させる駆動手段と、前記前眼部を撮影する前眼部撮影におけるピント調節の際に、前記駆動手段による駆動を行わずに前記筐体を固定した状態で、前記合焦手段の位置を光軸に沿って調整する制御を行う制御手段と、を有する。
また、本発明は、上述した眼科装置の制御方法、及び、当該制御方法をコンピュータに実行させるためのプログラムを含む。
【発明の効果】
【０００７】
本発明によれば、前眼部撮影の際に、被検眼の照明状態を変化させることなく適正なピント調節を行うことができる。これにより、適切な前眼部撮影を実現することが可能となる。
【図面の簡単な説明】
【０００８】
【図１】本発明の実施形態に係る眼科装置の光学系を中心とした全体構成の一例を示す図である。
【図２】図１に示すアライメント操作部材の斜視図である。
【図３】本発明の実施形態に係る眼科装置の電気系を中心とした全体構成の一例を示す図である。
【図４】図１に示す被検眼Ｅの断面における概要図である。
【図５】本発明の実施形態に係る眼科装置の制御方法における処理手順の一例を示すフローチャートである。
【図６】本発明の実施形態に係る眼科装置の制御方法における処理手順の一例を示すフローチャートである。
【図７】本発明の実施形態に係る眼科装置の制御方法における処理手順の一例を示すフローチャートである。
【図８】本発明の実施形態に係る眼科装置の制御方法における処理手順の一例を示すフローチャートである。
【発明を実施するための形態】
【０００９】
以下に、図面を参照しながら、本発明を実施するための形態（実施形態）について説明する。
【００１０】
図１は、本発明の実施形態に係る眼科装置１００の光学系を中心とした全体構成の一例を示す図である。ここで、本実施形態に係る眼科装置１００は、眼底カメラを想定したものとなっている。
【００１１】
眼科装置１００は、図１に示すように、被検者の顎を支持する顎受け部２を有する固定部１、可動部３、アライメント操作部材４、フォーカス操作部材５、検眼部６、表示部７、及び、前眼部撮影モード切換スイッチ８を主たる構成として有している。また、可動部３、アライメント操作部材４、フォーカス操作部材５及び前眼部撮影モード切換スイッチ８は、固定部１に接して設けられている。
【００１２】
また、検眼部６は可動部３に接して設けられており、表示部７は検眼部６に接して設けられている。検眼部６には、被検眼Ｅへの観察光等の照射や、被検眼Ｅの観察・撮影を行うために用いられる各種の光学系等が配置されている。
【００１３】
［光学系］
検眼部６の光学系は、大まかに分けて、光源部Ｏ１、照明光学系Ｏ２、撮影／照明光学系Ｏ３、撮影光学系Ｏ４から構成されている。光源部Ｏ１によって照射された光束は、照明光学系Ｏ２及び撮影／照明光学系Ｏ３を経て、被検眼Ｅを照明し、その反射光の一部が撮影／照明光学系Ｏ３及び撮影光学系Ｏ４を経て、撮像素子６１３に結像される。
【００１４】
まず、光源部Ｏ１について説明する。
光源部Ｏ１は、光源６０１、コンデンサレンズ６０２、リングスリット６０３、及び、水晶体バッフル６０４を主たる構成として有している。
【００１５】
光源６０１は、光軸上に略同心に配列された可視光ＬＥＤ、及び、ＩＲ−ＥＤの集合である。具体的に、眼底観察時には、赤外光を照射するＩＲ−ＥＤが略同心に配列された基盤からなる赤外光光源６０１ａが光軸上に配置される。また、撮影時には、可視光を照射する可視光ＬＥＤが略同心に配列された基盤からなる可視光光源６０１ｂが光軸上に配置される。この赤外光光源６０１ａと可視光光源６０１ｂとの光軸上への配置は、不図示のモータ及び駆動系によって切り替えが可能となっている。また、光源６０１は、被検眼Ｅの眼底に光を照射する眼底照明手段を構成する。コンデンサレンズ６０２は、一般的な球面レンズである。リングスリット６０３は、環状の開口を持った平板である。水晶体バッフル６０４も、環状の開口を持った平板である。
【００１６】
光源６０１から照射された光束は、コンデンサレンズ６０２によって被検眼Ｅの眼底に向けて集光され、リングスリット６０３によって被検眼Ｅの前眼部を通過する際の光束形状が環状となるよう成形される。さらに、水晶体バッフル６０４によって、被検眼Ｅの水晶体へ投影される光束を制限し、眼底像への水晶体からの反射光の写り込みを防いでいる。
【００１７】
続いて、照明光学系Ｏ２について説明する。
照明光学系Ｏ２は、第１の照明リレーレンズ６０５、第２の照明リレーレンズ６０６、スプリットユニット６０７、及び、角膜バッフル６０８を主たる構成として有している。
【００１８】
この照明光学系Ｏ２では、光源部Ｏ１で作られた光束をリレーするとともに、眼底像の焦点合わせのための指標像を造りこむ。第１の照明リレーレンズ６０５及び第２の照明リレーレンズ６０６によって、リング状の照明光は、被検眼Ｅに結像される。
【００１９】
スプリットユニット６０７は、フォーカス指標光源６０７ａ、プリズム６０７ｂ、フォーカス指標マスク６０７ｃ、後述する進退機構、及び、後述する移動機構を有して構成されている。フォーカス指標光源６０７ａは、フォーカス指標を投影するために用いられる。プリズム６０７ｂは、光源を分割するために用いられる。また、フォーカス指標マスク６０７ｃは、フォーカス指標の外形を示すために用いられる。
【００２０】
進退機構は、スプリット進退駆動モータＭ１を有する。スプリット進退駆動モータＭ１は、眼底観察時に照明光学系Ｏ２内にスプリットユニット６０７を進入させて、観察像の中にスプリット指標を投影する。また、スプリット進退駆動モータＭ１は、撮影時に、照明光学系Ｏ２からスプリットユニット６０７を退避させ、撮影像の中にフォーカス指標が移り込むことが無いように制御される。
【００２１】
移動機構は、スプリットシフト駆動モータＭ２、及び、スプリット位置センサＳ０１を有する。スプリットシフト駆動モータＭ２は、フォーカス指標光源６０７ａ、プリズム６０７ｂ及びフォーカス指標マスク６０７ｃを光軸方向（図１の矢印方向）にシフト駆動させて、眼底観察時にフォーカス指標の焦点を合せるために用いられる。スプリット位置センサＳ０１は、その停止位置を検出する。
【００２２】
角膜バッフル６０８は、眼底像に、被検眼Ｅの角膜からの不要な反射光の写りこみを防ぐためのものである。
【００２３】
続いて、撮影／照明光学系Ｏ３について説明する。
撮影／照明光学系Ｏ３は、被検眼Ｅに対して照明光束を投影するとともに、被検眼Ｅからの反射光束を導出する。この撮影／照明光学系Ｏ３は、穴あきミラー６０９、及び、対物レンズ６１０を主たる構成として有している。
【００２４】
穴あきミラー６０９は、外周部がミラーで中央部が穴となっている。穴あきミラー６０９は、照明光学系Ｏ２から導かれた光束をミラー部分で反射して、対物レンズ６１０を介して被検眼Ｅを照明する。照明された被検眼Ｅからの反射光束の一部は、対物レンズ６１０に戻り、穴あきミラー６０９の中央部の穴を通って撮影光学系Ｏ４に導出される。
【００２５】
続いて、撮影光学系Ｏ４について説明する。
撮影光学系Ｏ４は、被検眼Ｅの眼底像の焦点調節（ピント調整）を行った上で撮像素子６１３に結像する。この撮影光学系Ｏ４は、視度補正レンズ６１１、フォーカスレンズ（合焦レンズ）６１２、フォーカスレンズ位置センサＳ０２、フォーカスレンズ駆動モータＭ４、撮像素子６１３、及び、画像処理部６１４を主たる構成として有している。
【００２６】
視度補正レンズ６１１は、焦点調節のためのフォーカスレンズ６１２で調整困難な強度の近視・遠視の被検眼Ｅの眼底に焦点を合せるために、撮影光学系Ｏ４内に進退可能に設置される凸レンズ及び凹レンズである。視度補正レンズ進退駆動モータＭ３により、被検者が強度の近視である場合には視度補正−レンズ６１１ｂを、被検者が強度の遠視である場合には視度補正＋レンズ６１１ａを、撮影光学系Ｏ４に対して進退させる。フォーカスレンズ６１２は、穴明きミラー６０９の中央の穴を通過した撮影光束の焦点調節を行うためのレンズであり、図１の矢印方向に移動することで焦点調節を行う。フォーカスレンズ駆動モータＭ４は、焦点調節のためにフォーカスレンズ６１２を駆動し、フォーカスレンズ位置センサＳ０２は、フォーカスレンズ６１２の停止位置を検出する。撮像素子６１３は、被検眼Ｅの撮影光を光電変換して画像信号を生成する。画像処理部６１４は、撮像素子６１３で得られた画像信号をＡ／Ｄ変換してデジタル画像データとする処理等を行う。そして、画像処理部６１４で得られた画像データは、赤外観察時には表示部７に表示され、撮影後には不図示の記録媒体に記録される。
【００２７】
検眼部６の筺体における被検者側には、被検眼Ｅの前眼部に光を照射して当該前眼部を照明する前眼部照明光源６１５（図１では６１５ａ及び６１５ｂを図示している）が配置される。前眼部照明光源６１５は、対物レンズ６１０の略同心に複数配置されたＩＲ−ＥＤの集合である。この前眼部照明光源６１５により、前眼部撮影・観察時に被検眼Ｅの前眼部の照明が行われる。
【００２８】
［ＸＹＺ可動部］
可動部３は、駆動源（モータ）、減速機構、回動直動変換機構（ラックアンドピニオン）、摺動機構の組み合わせに代表される周知の駆動機構により、固定部１に対して検眼部６を、左右（Ｘ）方向（被検眼Ｅの眼幅方向である紙面に垂直な方向）、及び、前後（Ｚ）方向（被検眼Ｅへ接近、離間する方向である図１の左右方向）に移動可能に構成されている。また、可動部３は、駆動源（モータ）、減速機構、回動直動変換機構（送りねじとナット）、摺動機構の組み合わせに代表される周知の駆動機構により、固定部１に対して検眼部６を、上下（Ｙ）方向（図中上下方向）に移動可能に構成されている。この可動部３を介することにより、検眼部６は、固定部１に対して、３次元（ＸＹＺ）方向に移動可能となり、被検眼Ｅとのアライメントが可能となる。
【００２９】
［アライメント操作部材］
図２は、図１に示すアライメント操作部材４の斜視図である。
アライメント操作部材４は、可動部３による駆動を指示するための操作手段である。具体的に、アライメント操作部材４は、上述した駆動機構を操作するための操作桿４１及び回転ダイヤル４２、撮影スイッチ４３を具備している。さらに、アライメント操作部材４の内部には、Ｙアライメント操作量検出センサＳ０３を備えている。検者が回転ダイヤル４２を回すと、Ｙアライメント操作量検出センサＳ０３においてＹ方向のアライメント操作量が検出される。さらに、アライメント操作部材４には、操作桿４１の前後方向（図２のＦ−Ｂ方向）への傾倒を検知するＺアライメント操作量検出センサＳ０４、及び、操作桿４１の左右方向（図２のＬ−Ｒ方向）への傾倒を検知するＸアライメント操作量検出センサＳ０５が取り付けられている。
【００３０】
操作桿４１が図２のＦ−Ｂ方向へ傾倒すると、Ｚアライメント操作量検出センサＳ０４が移動し、操作桿４１の傾倒量に応じたＺアライメント操作量が検出される。システム制御部（後述する図３の１０１）は、このＺアライメント操作量に応じてＺモータＭ６を駆動し、検眼部６をＺ方向に移動する。操作桿４１が図２のＬ−Ｒ方向へ傾倒すると、Ｘアライメント操作量検出センサＳ０５が移動し、操作桿４１の傾倒量に応じたＸアライメント操作量が検出される。システム制御部（後述する図３の１０１）は、このＸアライメント操作量に応じてＸモータＭ５を駆動し、検眼部６をＸ方向に移動する。
【００３１】
回転ダイヤル４２は、操作桿４１と同軸に配置され、内部にＹアライメント操作量検出センサＳ０３が構成されている。検者が回転ダイヤル４２を図２のＵ−Ｄ方向に回転操作すると、Ｙアライメント操作量検出センサＳ０３により回転方向と単位時間当たりの回転角によるＹアライメント操作量が検出される。システム制御部（後述する図３の１０１）は、このＹアライメント操作量に応じてＹモータＭ７を駆動し、検眼部６をＹ方向に移動する。
【００３２】
撮影スイッチ４３は、検者が押下することで撮影を行うスイッチである。
【００３３】
［フォーカス操作部材］
フォーカス操作部材５は、アライメント操作部材４と同軸に配置されたフォーカスダイヤル、及び、当該フォーカスダイヤルの内部に配置されたフォーカス操作量検出センサＳ０６を有して構成されている。検者がフォーカス操作部材５のフォーカスダイヤルを回転操作することで、フォーカス操作量検出センサＳ０６により回転方向と単位時間当たりの回転角によるフォーカス操作量が検出される。システム制御部１０１は、このフォーカス操作量に応じてフォーカスレンズ駆動モータＭ４を駆動し、フォーカスレンズ６１２を移動する。
【００３４】
［制御系］
図３は、本発明の実施形態に係る眼科装置１００の電気系を中心とした全体構成の一例を示す図である。図３において、図１及び図２と同様の構成については同じ符号を付している。
【００３５】
システム制御部１０１は、眼科装置１００における動作を統括的に制御するものである。
【００３６】
電源スイッチ１０２は、眼科装置１００の電源状態を選択するためのスイッチである。
ＸＺモータ駆動回路１０３は、Ｚアライメント操作量検出センサＳ０４の出力に応じてＺモータＭ６を駆動させるとともに、Ｘアライメント操作量検出センサＳ０５の出力に応じてＸモータＭ５を駆動させる。また、ＸＺモータ駆動回路１０３は、システム制御部１０１の制御に基づいて、前眼部撮影モード切換スイッチ８が検者手動の操作により押下された際にＺモータＭ６を駆動させ、検眼部６を所定位置へ駆動し、Ｚ方向の移動を禁止する。これにより、被検眼Ｅの前眼部の照明状態が変化しない前眼部撮影が可能となる。
Ｙモータ駆動回路１０４は、Ｙアライメント操作量検出センサＳ０３の出力に応じてＹモータＭ７を駆動させる。
【００３７】
Ｍ１駆動回路１０５は、撮影スイッチ４３が検者手動の操作により押下された際に、スプリットユニット６０７が照明光学系Ｏ３より退避するようにスプリット進退駆動モータＭ１を駆動する。
Ｍ２駆動回路１０６は、フォーカス操作量検出センサＳ０６の出力に応じてスプリットシフト駆動モータＭ２を駆動する。
Ｍ３駆動回路１０７は、不図示の視度補正スイッチの操作に応じて、視度補正レンズ進退駆動モータＭ３を駆動する。また、Ｍ３駆動回路１０７は、前眼部撮影モード切換スイッチ８が検者手動の操作により押下された際に、視度補正レンズ進退駆動モータＭ３を駆動し、視度補正＋レンズ６１１ａを撮影光軸へ挿入させる。
Ｍ４駆動回路１０８は、フォーカス操作量検出センサＳ０６の出力に応じてフォーカスレンズ駆動モータＭ４を駆動する。また、Ｍ４駆動回路１０８は、前眼部撮影モード切換スイッチ８が検者手動の操作により押下された際には、操作桿４１のＦ−Ｂ方向の傾き量に対応したＺアライメント操作量検出センサＳ０４の出力に応じて、フォーカスレンズ駆動モータＭ４を駆動する。
【００３８】
撮影光源制御回路１０９は、撮影前に可視光光源６０１ｂを発光するためのエネルギーを充電し、撮影時に充電した電気エネルギーを放電して可視光光源６０１ｂを発光させる。
【００３９】
［前眼部撮影部位］
図４は、図１に示す被検眼Ｅの断面における概要図である。図４には、水晶体Ｅ１、虹彩Ｅ２、角膜Ｅ３、瞼Ｅ４の各部位が示されている。
【００４０】
図４に示すように、被検眼Ｅの前眼部領域には、瞼Ｅ４や虹彩Ｅ２等の様々な組織が存在する。これらの部位は、それぞれ、Ｚ方向の位置が異なるため、撮影に適した可動部３と被検眼Ｅとの距離が異なる。特に、瞼Ｅ４の裏側にあるマイボーム腺は、撮影する際に瞼Ｅ４を裏返す必要があるため、眼科装置１００に対して近くなる。このため、瞼Ｅ４の撮影時は、可動部３（より具体的には、検眼部６）を被検眼Ｅから遠ざける方が好ましい。また、虹彩Ｅ２は、眼科装置１００に対して奥まった位置に存在するため、虹彩Ｅ２の撮影時は、可動部３（より具体的には、検眼部６）を被検眼Ｅに近づける方が好ましい。
【００４１】
［前眼部撮影モード］
本実施形態では、前眼部撮影モード切換スイッチ８を操作者が押下するごとに、被検眼Ｅの撮影部位の変更が可能である。即ち、前眼部撮影モード切換スイッチ８は、被検眼Ｅの撮影部位を指定する撮影部位指定手段を構成する。そして、システム制御部１０１は、ピント調節の前に、前眼部撮影モード切換スイッチ８で指定された撮影部位に応じた位置に検眼部６の筺体を駆動させて当該筐体を当該位置に固定し、その後のピント調節の際に、フォーカスレンズ６１２の位置を光軸に沿って調整する制御を行う。ここで、ピント調節が最適になったか否かは、例えば検者が表示部７に表示された画像を見て画像が鮮明になったか否か等に基づいて判断するようにしてもよいし、例えばシステム制御部１０１が画像のコントラスト等に基づいて判断するようにしてもよい。
【００４２】
本実施形態においては、前眼部撮影モード切換スイッチ８が一度操作されると、瞼Ｅ４に係る撮影を行う瞼撮影モードに移行する。瞼撮影モードに移行すると、ＸＺモータ駆動回路１０３は、ＺモータＭ６を駆動させ、可動部３（より具体的には、検眼部６）が瞼撮影に適した位置にくるまで、ＺモータＭ６を駆動し、その後のＺモータＭ６の駆動を禁止する。その後、システム制御部１０１は、Ｚアライメント操作量検出センサＳ０４の信号を検出すると、Ｍ４駆動回路１０８に対してフォーカスレンズ駆動モータＭ４の駆動信号を出力する。これにより、可動部３（より具体的には、検眼部６）の前後移動を禁止し、フォーカスレンズ６１２が光軸上を移動し、被検眼Ｅの瞼Ｅ４に対し、適正なピント調節が可能となる。具体的に、本実施形態では、システム制御部１０１は、前眼部撮影モード切換スイッチ８で指定された撮影部位が瞼Ｅ４である場合、ピント調節の前に、前眼部撮影モード切換スイッチ８で撮影部位として後述の虹彩Ｅ２が指定された場合の位置よりも被検眼Ｅから遠い位置に検眼部６の筺体を駆動させて当該筐体を当該位置に固定し、その後のピント調節の際に、フォーカスレンズ６１２の位置を光軸に沿って調整する制御を行う。この撮影部位として瞼Ｅ４が指定された場合に、撮影部位として後述の虹彩Ｅ２が指定された場合の位置よりも被検眼Ｅから遠い位置に検眼部６の筺体を固定する理由は、図４を用いて上述したように、瞼Ｅ４は虹彩Ｅ２よりも眼科装置１００に対して手前側に存在するためである。
【００４３】
再度、前眼部撮影モード切換スイッチ８が操作されると、虹彩Ｅ２に係る撮影を行う虹彩撮影モードに移行する。虹彩撮影モードに移行すると、ＸＺモータ駆動回路１０３は、ＺモータＭ６を駆動させ、可動部３（より具体的には、検眼部６）が虹彩撮影に適した位置にくるまで、ＺモータＭ６を駆動し、その後のＺモータＭ６の駆動を禁止する。その後、システム制御部１０１は、Ｚアライメント操作量検出センサＳ０４の信号を検出すると、Ｍ４駆動回路１０８に対してフォーカスレンズ駆動モータＭ４の駆動信号を出力する。これにより、可動部３（より具体的には、検眼部６）の前後移動を禁止し、フォーカスレンズ６１２が光軸上を移動し、被検眼Ｅの虹彩Ｅ２に対し、適正なピント調節が可能となる。具体的に、本実施形態では、システム制御部１０１は、前眼部撮影モード切換スイッチ８で指定された撮影部位が虹彩Ｅ２である場合、ピント調節の前に、前眼部撮影モード切換スイッチ８で撮影部位として上述の瞼Ｅ４が指定された場合の位置よりも被検眼Ｅから近い位置に検眼部６の筺体を駆動させて当該筐体を当該位置に固定し、その後のピント調節の際に、フォーカスレンズ６１２の位置を光軸に沿って調整する制御を行う。この撮影部位として虹彩Ｅ２が指定された場合に、撮影部位として上述の瞼Ｅ４が指定された場合の位置よりも被検眼Ｅから近い位置に検眼部６の筺体を固定する理由は、図４を用いて上述したように、虹彩Ｅ２は瞼Ｅ４よりも眼科装置１００に対して奥側に存在するためである。
【００４４】
再度、前眼部撮影モード切換スイッチ８が操作されると、被検眼Ｅの眼底を撮影する眼底撮影モードに戻る。具体的に、本実施形態では、システム制御部１０１は、前眼部撮影モード切換スイッチ８で指定された撮影部位が眼底である場合、ピント調節の前に、予め定められている眼底に応じた位置に検眼部６の筺体を駆動させて当該筐体を当該位置に固定し、その後のピント調節の際に、フォーカスレンズ６１２の位置を光軸に沿って調整する制御を行う。
【００４５】
［撮影位置固定の解除］
被検者によっては、極端に眼球までの距離が遠い奥目の被検眼Ｅや、極端に眼球が出っ張っている出目の被検眼Ｅを有する場合がある。このような被検者の前眼部撮影を行う場合、フォーカスレンズ６１２でピントが調節しきれない場合がある。このような場合、本実施形態では、操作桿４１を前後方向の端まで傾けると、Ｚアライメント位置の固定を解除することが可能となる。
【００４６】
操作桿４１が傾倒され、Ｚアライメント操作量検出センサＳ０４の信号が最大傾倒となる出力となると、システム制御部１０１は、ステージ駆動瞼撮影モード、または、ステージ駆動虹彩撮影モードへ移行し、Ｚアライメント操作量検出センサＳ０４の出力に応じて、ＺモータＭ６を駆動する。
【００４７】
再度、前眼部撮影モード切換スイッチ８が操作されると、システム制御部１０１は、可動部３が瞼撮影または虹彩撮影に適した位置にくるまで、ＺモータＭ６を駆動し、その後のＺモータＭ６の駆動を禁止する。
【００４８】
［フローチャート］
図５〜図８は、本発明の実施形態に係る眼科装置１００の制御方法における処理手順の一例を示すフローチャートである。
【００４９】
まず、図５のフローチャートの説明を行う。具体的に、図５は、瞼撮影モードのフローチャートである。
【００５０】
ステップＳ１０１において、システム制御部１０１は、図５のフローチャートの処理を開始する。
【００５１】
ステップＳ１０２において、システム制御部１０１は、前眼部照明光源６１５（図１では６１５ａ及び６１５ｂを図示している）を点灯する制御を行う。
【００５２】
続いて、ステップＳ１０３において、システム制御部１０１は、前眼部撮影モード切換スイッチ８が操作されたか否かを判断する。この判断の結果、前眼部撮影モード切換スイッチ８が操作されていない場合には（Ｓ１０３／Ｎ）、眼部撮影モード切換スイッチ８が操作されたと判断されるまで、ステップＳ１０３で待機する。
【００５３】
一方、ステップＳ１０３の判断の結果、前眼部撮影モード切換スイッチ８が操作された場合には（Ｓ１０３／Ｙ）、ステップＳ１０４に進む。
ステップＳ１０４に進むと、システム制御部１０１は、視度補正レンズ進退駆動モータＭ３により視度補正＋レンズ６１１ａを光軸に挿入する制御を行う。
【００５４】
続いて、ステップＳ１０５において、システム制御部１０１は、前眼部撮影モード切換スイッチ８が操作されたか否かを判断する。この判断の結果、前眼部撮影モード切換スイッチ８が操作された場合には（Ｓ１０５／Ｙ）、ステップＳ１０６に進む。即ち、この場合は、虹彩撮影モードに移行するため、図６のステップＳ２０１に移行する。この図６については、後述する。
【００５５】
一方、ステップＳ１０５の判断の結果、前眼部撮影モード切換スイッチ８が操作されていない場合には（Ｓ１０５／Ｎ）、ステップＳ１０７に進む。
ステップＳ１０７に進むと、システム制御部１０１は、可動部３のＺ方向位置が瞼撮影モードの所定位置であるか否かを判断する。
【００５６】
ステップＳ１０７の判断の結果、可動部３のＺ方向位置が瞼撮影モードの所定位置でない場合には（Ｓ１０７／Ｎ）、ステップＳ１０８に進む。
ステップＳ１０８に進むと、システム制御部１０１は、ＺモータＭ６を駆動する制御を行う。その後、ステップＳ１０５に戻る。
【００５７】
一方、ステップＳ１０７の判断の結果、可動部３のＺ方向位置が瞼撮影モードの所定位置である場合には（Ｓ１０７／Ｙ）、ステップＳ１０９に進む。
ステップＳ１０９に進むと、システム制御部１０１は、Ｘアライメント操作量検出センサＳ０５の出力に変化があるか否かを判断する。
【００５８】
ステップＳ１０９の判断の結果、Ｘアライメント操作量検出センサＳ０５の出力に変化がある場合には（Ｓ１０９／Ｙ）、ステップＳ１１０に進む。
ステップＳ１１０に進むと、システム制御部１０１は、ＸモータＭ５を駆動する制御を行う。その後、ステップＳ１０５に戻る。
【００５９】
一方、ステップＳ１０９の判断の結果、Ｘアライメント操作量検出センサＳ０５の出力に変化がない場合には（Ｓ１０９／Ｎ）、ステップＳ１１１に進む。
ステップＳ１１１に進むと、システム制御部１０１は、Ｙアライメント操作量検出センサＳ０３の出力に変化があるか否かを判断する。
【００６０】
ステップＳ１１１の判断の結果、Ｙアライメント操作量検出センサＳ０３の出力に変化がある場合には（Ｓ１１１／Ｙ）、ステップＳ１１２に進む。
ステップＳ１１２に進むと、システム制御部１０１は、ＹモータＭ７を駆動する制御を行う。その後、ステップＳ１０５に戻る。
【００６１】
一方、ステップＳ１１１の判断の結果、Ｙアライメント操作量検出センサＳ０３の出力に変化がない場合には（Ｓ１１１／Ｎ）、ステップＳ１１３に進む。
ステップＳ１１３に進むと、システム制御部１０１は、Ｚアライメント操作量検出センサＳ０４の出力に変化があるか否かを判断する。
【００６２】
ステップＳ１１３の判断の結果、Ｚアライメント操作量検出センサＳ０４の出力に変化がある場合には（Ｓ１１３／Ｙ）、ステップＳ１１４に進む。
ステップＳ１１４に進むと、システム制御部１０１は、フォーカスレンズ駆動モータＭ４を駆動する制御を行って、合焦手段であるフォーカスレンズ６１２の位置を光軸に沿って調整する制御を行う。このステップＳ１１４は、被検眼Ｅの前眼部を撮影する前眼部撮影におけるピント調節を行う場合であって、この際、システム制御部１０１は、可動部３による駆動を行わずに検眼部６を固定した状態で、フォーカスレンズ６１２の位置を光軸に沿って調整する制御を行う。その後、ステップＳ１０５に戻る。
【００６３】
一方、ステップＳ１１３の判断の結果、Ｚアライメント操作量検出センサＳ０４の出力に変化がない場合には（Ｓ１１３／Ｎ）、ステップＳ１１５に進む。
ステップＳ１１５に進むと、システム制御部１０１は、Ｚアライメント操作量検出センサＳ０４の出力が最大であるか否かを判断する。
【００６４】
ステップＳ１１５の判断の結果、Ｚアライメント操作量検出センサＳ０４の出力が最大である場合には（Ｓ１１５／Ｙ）、ステップＳ１１６に進む。即ち、この場合は、ステージ駆動瞼撮影モードへ移行するため、図７のステップＳ３０１に移行する。この図７については、後述する。
【００６５】
一方、ステップＳ１１５の判断の結果、Ｚアライメント操作量検出センサＳ０４の出力が最大でない場合には（Ｓ１１５／Ｎ）、ステップＳ１１７に進む。
ステップＳ１１７に進むと、システム制御部１０１は、撮影スイッチ４３が操作されたか否かを判断する。そして、この判断の結果、撮影スイッチ４３が操作されていない場合には（Ｓ１１７／Ｎ）、ステップＳ１０５に戻る。
【００６６】
一方、ステップＳ１１７の判断の結果、撮影スイッチ４３が操作された場合には（Ｓ１１７／Ｙ）、ステップＳ１１８に進む。
ステップＳ１１８に進むと、システム制御部１０１は、撮像素子６１３で得られた瞼Ｅ４に係る画像を不図示の記録媒体に記録する制御を行う。
【００６７】
その後、ステップＳ１１９において、システム制御部１０１は、図５のフローチャートの処理を終了する。
【００６８】
次に、図６のフローチャートの説明を行う。具体的に、図６は、虹彩撮影モードのフローチャートである。
【００６９】
ステップＳ２０１において、システム制御部１０１は、図６のフローチャートの処理を開始する。
【００７０】
ステップＳ２０２において、システム制御部１０１は、前眼部撮影モード切換スイッチ８が操作されたか否かを判断する。
【００７１】
ステップＳ２０２の判断の結果、前眼部撮影モード切換スイッチ８が操作された場合には（Ｓ２０２／Ｙ）、ステップＳ２０３に進む。
ステップＳ２０３に進むと、システム制御部１０１は、視度補正レンズ進退駆動モータＭ３により視度補正＋レンズ６１１ａを光軸から抜去する制御を行う。このステップＳ２０３の処理が終了すると、ステップＳ２０４に進む。即ち、この場合、眼底撮影モードへ移行するため、図５のステップＳ１０１に移行する。
【００７２】
一方、ステップＳ２０２の判断の結果、前眼部撮影モード切換スイッチ８が操作されていない場合には（Ｓ２０２／Ｎ）、ステップＳ２０５に進む。
ステップＳ２０５に進むと、可動部３のＺ方向位置が虹彩撮影モードの所定位置であるか否かを判断する。
【００７３】
ステップＳ２０５の判断の結果、可動部３のＺ方向位置が虹彩撮影モードの所定位置でない場合には（Ｓ２０５／Ｎ）、ステップＳ２０６に進む。
ステップＳ２０６に進むと、システム制御部１０１は、ＺモータＭ６を駆動する制御を行う。その後、ステップＳ２０２に戻る。
【００７４】
一方、ステップＳ２０５の判断の結果、可動部３のＺ方向位置が虹彩撮影モードの所定位置である場合には（Ｓ２０５／Ｙ）、ステップＳ２０７に進む。
ステップＳ２０７に進むと、システム制御部１０１は、Ｘアライメント操作量検出センサＳ０５の出力に変化があるか否かを判断する。
【００７５】
ステップＳ２０７の判断の結果、Ｘアライメント操作量検出センサＳ０５の出力に変化がある場合には（Ｓ２０７／Ｙ）、ステップＳ２０８に進む。
ステップＳ２０８に進むと、システム制御部１０１は、ＸモータＭ５を駆動する制御を行う。その後、ステップＳ２０２に戻る。
【００７６】
一方、ステップＳ２０７の判断の結果、Ｘアライメント操作量検出センサＳ０５の出力に変化がない場合には（Ｓ２０７／Ｎ）、ステップＳ２０９に進む。
ステップＳ２０９に進むと、システム制御部１０１は、Ｙアライメント操作量検出センサＳ０３の出力に変化があるか否かを判断する。
【００７７】
ステップＳ２０９の判断の結果、Ｙアライメント操作量検出センサＳ０３の出力に変化がある場合には（Ｓ２０９／Ｙ）、ステップＳ２１０に進む。
ステップＳ２１０に進むと、システム制御部１０１は、ＹモータＭ７を駆動する制御を行う。その後、ステップＳ２０２に戻る。
【００７８】
一方、ステップＳ２０９の判断の結果、Ｙアライメント操作量検出センサＳ０３の出力に変化がない場合には（Ｓ２０９／Ｎ）、ステップＳ２１１に進む。
ステップＳ２１１に進むと、システム制御部１０１は、Ｚアライメント操作量検出センサＳ０４の出力に変化があるか否かを判断する。
【００７９】
ステップＳ２１１の判断の結果、Ｚアライメント操作量検出センサＳ０４の出力に変化がある場合には（Ｓ２１１／Ｙ）、ステップＳ２１２に進む。
ステップＳ２１２に進むと、システム制御部１０１は、フォーカスレンズ駆動モータＭ４を駆動する制御を行って、合焦手段であるフォーカスレンズ６１２の位置を光軸に沿って調整する制御を行う。このステップＳ２１２は、被検眼Ｅの前眼部を撮影する前眼部撮影におけるピント調節を行う場合であって、この際、システム制御部１０１は、可動部３による駆動を行わずに検眼部６を固定した状態で、フォーカスレンズ６１２の位置を光軸に沿って調整する制御を行う。その後、ステップＳ２０２に戻る。
【００８０】
一方、ステップＳ２１１の判断の結果、Ｚアライメント操作量検出センサＳ０４の出力に変化がない場合には（Ｓ２１１／Ｎ）、ステップＳ２１３に進む。
ステップＳ２１３に進むと、システム制御部１０１は、Ｚアライメント操作量検出センサＳ０４の出力が最大であるか否かを判断する。
【００８１】
ステップＳ２１３の判断の結果、Ｚアライメント操作量検出センサＳ０４の出力が最大である場合には（Ｓ２１３／Ｙ）、ステップＳ２１４に進む。即ち、この場合は、ステージ駆動虹彩撮影モードへ移行するため、図８のステップＳ４０１に移行する。この図８については、後述する。
【００８２】
一方、ステップＳ２１３の判断の結果、Ｚアライメント操作量検出センサＳ０４の出力が最大でない場合には（Ｓ２１３／Ｎ）、ステップＳ２１５に進む。
ステップＳ２１５に進むと、システム制御部１０１は、撮影スイッチ４３が操作されたか否かを判断する。そして、この判断の結果、撮影スイッチ４３が操作されていない場合には（Ｓ２１５／Ｎ）、ステップＳ２０２に戻る。
【００８３】
一方、ステップＳ２１５の判断の結果、撮影スイッチ４３が操作された場合には（Ｓ２１５／Ｙ）、ステップＳ２１６に進む。
ステップＳ２１６に進むと、システム制御部１０１は、撮像素子６１３で得られた虹彩Ｅ２に係る画像を不図示の記録媒体に記録する制御を行う。
【００８４】
その後、ステップＳ２１７において、システム制御部１０１は、図６のフローチャートの処理を終了する。
【００８５】
次に、図７のフローチャートの説明を行う。具体的に、図７は、ステージ駆動瞼撮影モードのフローチャートである。
【００８６】
ステップＳ３０１において、システム制御部１０１は、図７のフローチャートの処理を開始する。
【００８７】
ステップＳ３０２において、システム制御部１０１は、前眼部撮影モード切換スイッチ８が操作されたか否かを判断する。
【００８８】
ステップＳ３０２の判断の結果、前眼部撮影モード切換スイッチ８が操作された場合には（Ｓ３０２／Ｙ）、ステップＳ３０３に進む。即ち、この場合、瞼撮影モードへ移行するため、図５のステップＳ１０５に移行する。
【００８９】
一方、ステップＳ３０２の判断の結果、前眼部撮影モード切換スイッチ８が操作されていない場合には（Ｓ３０２／Ｎ）、ステップＳ３０４に進む。
ステップＳ３０４に進むと、システム制御部１０１は、Ｚアライメント操作量検出センサＳ０４の出力に変化があるか否かを判断する。
【００９０】
ステップＳ３０４の判断の結果、Ｚアライメント操作量検出センサＳ０４の出力に変化がある場合には（Ｓ３０４／Ｙ）、ステップＳ３０５に進む。
ステップＳ３０５に進むと、システム制御部１０１は、ＺモータＭ６を駆動する制御を行う。その後、ステップＳ３０２に戻る。
【００９１】
一方、ステップＳ３０４の判断の結果、Ｚアライメント操作量検出センサＳ０４の出力に変化がない場合には（Ｓ３０４／Ｎ）、ステップＳ３０６に進む。
ステップＳ３０６に進むと、システム制御部１０１は、Ｘアライメント操作量検出センサＳ０５の出力に変化があるか否かを判断する。
【００９２】
ステップＳ３０６の判断の結果、Ｘアライメント操作量検出センサＳ０５の出力に変化がある場合には（Ｓ３０６／Ｙ）、ステップＳ３０７に進む。
ステップＳ３０７に進むと、システム制御部１０１は、ＸモータＭ５を駆動する制御を行う。その後、ステップＳ３０２に戻る。
【００９３】
一方、ステップＳ３０６の判断の結果、Ｘアライメント操作量検出センサＳ０５の出力に変化がない場合には（Ｓ３０６／Ｎ）、ステップＳ３０８に進む。
ステップＳ３０８に進むと、システム制御部１０１は、Ｙアライメント操作量検出センサＳ０３の出力に変化があるか否かを判断する。
【００９４】
ステップＳ３０８の判断の結果、Ｙアライメント操作量検出センサＳ０３の出力に変化がある場合には（Ｓ３０８／Ｙ）、ステップＳ３０９に進む。
ステップＳ３０９に進むと、システム制御部１０１は、ＹモータＭ７を駆動する制御を行う。その後、ステップＳ３０２に戻る。
【００９５】
一方、ステップＳ３０８の判断の結果、Ｙアライメント操作量検出センサＳ０３の出力に変化がない場合には（Ｓ３０８／Ｎ）、ステップＳ３１０に進む。
ステップＳ３１０に進むと、システム制御部１０１は、フォーカス操作量検出センサＳ０６の出力に変化があるか否かを判断する。
【００９６】
ステップＳ３１０の判断の結果、フォーカス操作量検出センサＳ０６の出力に変化がある場合には（Ｓ３１０／Ｙ）、ステップＳ３１１に進む。
ステップＳ３１１に進むと、システム制御部１０１は、フォーカスレンズ駆動モータＭ４を駆動する制御を行って、合焦手段であるフォーカスレンズ６１２の位置を光軸に沿って調整する制御を行う。このステップＳ３１１は、被検眼Ｅの前眼部を撮影する前眼部撮影におけるピント調節を行う場合であって、この際、システム制御部１０１は、可動部３による駆動を行わずに検眼部６を固定した状態で、フォーカスレンズ６１２の位置を光軸に沿って調整する制御を行う。その後、ステップＳ３０２に戻る。
【００９７】
一方、ステップＳ３１０の判断の結果、フォーカス操作量検出センサＳ０６の出力に変化がない場合には（Ｓ３１０／Ｎ）、ステップＳ３１２に進む。
ステップＳ３１２に進むと、システム制御部１０１は、撮影スイッチ４３が操作されたか否かを判断する。そして、この判断の結果、撮影スイッチ４３が操作されていない場合には（Ｓ３１２／Ｎ）、ステップＳ３０２に戻る。
【００９８】
一方、ステップＳ３１２の判断の結果、撮影スイッチ４３が操作された場合には（Ｓ３１２／Ｙ）、ステップＳ３１３に進む。
ステップＳ３１３に進むと、システム制御部１０１は、撮像素子６１３で得られた瞼Ｅ４に係る画像を不図示の記録媒体に記録する制御を行う。
【００９９】
その後、ステップＳ３１４において、システム制御部１０１は、図７のフローチャートの処理を終了する。
【０１００】
次に、図８のフローチャートの説明を行う。具体的に、図８は、ステージ駆動虹彩撮影モードのフローチャートである。
【０１０１】
ステップＳ４０１において、システム制御部１０１は、図８のフローチャートの処理を開始する。
【０１０２】
ステップＳ４０２において、システム制御部１０１は、前眼部撮影モード切換スイッチ８が操作されたか否かを判断する。
【０１０３】
ステップＳ４０２の判断の結果、前眼部撮影モード切換スイッチ８が操作された場合には（Ｓ４０２／Ｙ）、ステップＳ４０３に進む。即ち、この場合、虹彩撮影モードへ移行するため、図６のステップＳ２０１に移行する。
【０１０４】
一方、ステップＳ４０２の判断の結果、前眼部撮影モード切換スイッチ８が操作されていない場合には（Ｓ４０２／Ｎ）、ステップＳ４０４に進む。
ステップＳ４０４に進むと、システム制御部１０１は、Ｚアライメント操作量検出センサＳ０４の出力に変化があるか否かを判断する。
【０１０５】
ステップＳ４０４の判断の結果、Ｚアライメント操作量検出センサＳ０４の出力に変化がある場合には（Ｓ４０４／Ｙ）、ステップＳ４０５に進む。
ステップＳ４０５に進むと、システム制御部１０１は、ＺモータＭ６を駆動する制御を行う。その後、ステップＳ４０２に戻る。
【０１０６】
一方、ステップＳ４０４の判断の結果、Ｚアライメント操作量検出センサＳ０４の出力に変化がない場合には（Ｓ４０４／Ｎ）、ステップＳ４０６に進む。
ステップＳ４０６に進むと、システム制御部１０１は、Ｘアライメント操作量検出センサＳ０５の出力に変化があるか否かを判断する。
【０１０７】
ステップＳ４０６の判断の結果、Ｘアライメント操作量検出センサＳ０５の出力に変化がある場合には（Ｓ４０６／Ｙ）、ステップＳ４０７に進む。
ステップＳ４０７に進むと、システム制御部１０１は、ＸモータＭ５を駆動する制御を行う。その後、ステップＳ４０２に戻る。
【０１０８】
一方、ステップＳ４０６の判断の結果、Ｘアライメント操作量検出センサＳ０５の出力に変化がない場合には（Ｓ４０６／Ｎ）、ステップＳ４０８に進む。
ステップＳ４０８に進むと、システム制御部１０１は、Ｙアライメント操作量検出センサＳ０３の出力に変化があるか否かを判断する。
【０１０９】
ステップＳ４０８の判断の結果、Ｙアライメント操作量検出センサＳ０３の出力に変化がある場合には（Ｓ４０８／Ｙ）、ステップＳ４０９に進む。
ステップＳ４０９に進むと、システム制御部１０１は、ＹモータＭ７を駆動する制御を行う。その後、ステップＳ４０２に戻る。
【０１１０】
一方、ステップＳ４０８の判断の結果、Ｙアライメント操作量検出センサＳ０３の出力に変化がない場合には（Ｓ４０８／Ｎ）、ステップＳ４１０に進む。
ステップＳ４１０に進むと、システム制御部１０１は、フォーカス操作量検出センサＳ０６の出力に変化があるか否かを判断する。
【０１１１】
ステップＳ４１０の判断の結果、フォーカス操作量検出センサＳ０６の出力に変化がある場合には（Ｓ４１０／Ｙ）、ステップＳ４１１に進む。
ステップＳ４１１に進むと、システム制御部１０１は、フォーカスレンズ駆動モータＭ４を駆動する制御を行って、合焦手段であるフォーカスレンズ６１２の位置を光軸に沿って調整する制御を行う。このステップＳ４１１は、被検眼Ｅの前眼部を撮影する前眼部撮影におけるピント調節を行う場合であって、この際、システム制御部１０１は、可動部３による駆動を行わずに検眼部６を固定した状態で、フォーカスレンズ６１２の位置を光軸に沿って調整する制御を行う。その後、ステップＳ４０２に戻る。
【０１１２】
一方、ステップＳ４１０の判断の結果、フォーカス操作量検出センサＳ０６の出力に変化がない場合には（Ｓ４１０／Ｎ）、ステップＳ４１２に進む。
ステップＳ４１２に進むと、システム制御部１０１は、撮影スイッチ４３が操作されたか否かを判断する。そして、この判断の結果、撮影スイッチ４３が操作されていない場合には（Ｓ４１２／Ｎ）、ステップＳ４０２に戻る。
【０１１３】
一方、ステップＳ４１２の判断の結果、撮影スイッチ４３が操作された場合には（Ｓ４１２／Ｙ）、ステップＳ４１３に進む。
ステップＳ４１３に進むと、システム制御部１０１は、撮像素子６１３で得られた虹彩Ｅ２に係る画像を不図示の記録媒体に記録する制御を行う。
【０１１４】
その後、ステップＳ４１４において、システム制御部１０１は、図８のフローチャートの処理を終了する。
【０１１５】
本実施形態に係る眼科装置１００は、被検眼Ｅの前眼部を光で照明する前眼部照明光源６１５と、被検眼Ｅに対して合焦させるための合焦手段であるフォーカスレンズ６１２と、被検眼Ｅからの前記光の反射光をフォーカスレンズ６１２を介して受光し、被検眼Ｅを撮像する撮像素子６１３と、前眼部照明光源６１５、フォーカスレンズ６１２および撮像素子６１３を備える筐体である検眼部６を被検眼Ｅに対して駆動させる可動部３と、被検眼Ｅの前眼部を撮影する前眼部撮影におけるピント調節の際に、可動部３による駆動を行わずに検眼部６を固定した状態で、フォーカスレンズ６１２の位置を光軸に沿って調整する制御を行うシステム制御部１０１を備えている。具体的に、システム制御部１０１は、前眼部撮影におけるピント調節の際に、操作手段であるアライメント操作部材４の指示に応じた可動部３による筐体（検眼部６）の駆動を行わずに、フォーカスレンズ６１２の位置を光軸に沿って調整する制御を行う。
かかる構成によれば、前眼部撮影におけるピント調節の際に、検眼部６を固定した状態で、フォーカスレンズ６１２の位置を調整する制御を行うようにしたので、前眼部撮影の際に被検眼の照明状態を変化させることなく適正なピント調節を行うことができる。これにより、適切な前眼部撮影を実現することが可能となる。
【０１１６】
（その他の実施形態）
本発明は、上述の実施形態の１以上の機能を実現するプログラムを、ネットワーク又は記憶媒体を介してシステム又は装置に供給し、そのシステム又は装置のコンピュータにおける１つ以上のプロセッサーがプログラムを読出し実行する処理でも実現可能である。また、１以上の機能を実現する回路（例えば、ＡＳＩＣ）によっても実現可能である。
このプログラム及び当該プログラムを記憶したコンピュータ読み取り可能な記憶媒体は、本発明に含まれる。
【０１１７】
なお、上述した本発明の実施形態は、いずれも本発明を実施するにあたっての具体化の例を示したものに過ぎず、これらによって本発明の技術的範囲が限定的に解釈されてはならないものである。即ち、本発明はその技術思想、または、その主要な特徴から逸脱することなく、様々な形で実施することができる。
【符号の説明】
【０１１８】
１：固定部、２：顎受け部２、３：可動部、４：アライメント操作部材、５：フォーカス操作部材、６：検眼部、６１２：フォーカスレンズ、６１３：撮像素子、６１５ａ，６１５ｂ：前眼部照明光源、７：表示部、８：前眼部撮影モード切換スイッチ、１００：眼科装置、Ｅ：被検眼
【図１】
2017055976.tif 000003
【図２】
2017055976.tif 000004
【図３】
2017055976.tif 000005
【図４】
2017055976.tif 000006
【図５】
2017055976.tif 000007
【図６】
2017055976.tif 000008
【図７】
2017055976.tif 000009
【図８】
2017055976.tif 000010